(57)【要約】      （修正有）【課題】情報カードを箱体から切り離しても情報表示を綺麗に保つことができ、しかも箱体の側面が開口しない情報カード付き包装箱を提供する。【解決手段】箱体形成片１２は、筒体に組み立てられる側面板１４，１６，１８，２０と、片端に位置する第一の側面板１４の端部に連接された糊付け板２８と、反対側の端に位置する第二の側面板２０の端部に補助折罫線７６を介して連接された補助板７４とを備える。第二の側面板２０は、本体部２０ａと、第二の側面板２０から切離可能に主破断線８０で区切られた情報カード部２０ｂを備える。補助板７４は、第一の補助部７４ａと、補助板７４から切離可能に補助破断線８４で区切られた第二の補助部７４ｂとを備える。組み立て状態で、主破断線８０及び補助破断線８４を破断させると、情報カード部２０ｂの内側に第二の補助部７４ｂが糊付けされた情報カードが形成される。【選択図】図２
0003217754.tif 000002
【実用新案登録請求の範囲】
【請求項１】
一枚の箱体形成片から成り、前記箱体形成片には、互いに平行に連接されて筒体に組み立てられる複数の側面板と、前記複数の側面板のうちの片端に位置する第一の側面板の端部に連接された糊付け板と、前記複数の側面板のうちの、前記第一の側面板と反対側の端に位置する第二の側面板の端部に補助折罫線を介して連接された補助板とが設けられ、前記第二の側面板には、本体部と、前記第二の側面板から切離可能に主破断線で区切られた部分であって、表面に内容物に関する情報が印刷された情報カード部とが設けられ、前記補助板には、第一の補助部と、前記補助板から切離可能に補助破断線で区切られた第二の補助部とが設けられ、
組み立て状態で、前記第一の補助部は、前記本体部に重なり、裏面が前記本体部の裏面に糊付けされて前記筒体の一部となり、前記第二の補助部は、前記情報カード部の内側に重なり、裏面が前記情報カード部の裏面に糊付けされて前記情報カード部を補強し、前記糊付け片は、前記第二の側面板の内側に対向し、表面が前記第一の補助部の表面に糊付けされて前記筒体の一部となり、前記情報カード部は、前記糊付け板の内側に重なるように前記糊付け板に対向し、
前記主破断線及び補助破断線を破断させることによって、前記情報カード部と前記第二の補助部とで成る情報カードが前記筒体から切り離されることを特徴とする情報カード付き包装箱。
【請求項２】
前記第二の補助部の表面に、内容物に関する情報が印刷されている請求項１記載の情報カード付き包装箱。
【請求項３】
前記補助折罫線と重なる位置にスリット又は切り込み線が設けられ、前記情報カード部は、前記スリット又は切り込み線で前記補助板と区切られている請求項１又は２記載の情報カード付き包装箱。
【請求項４】
前記情報カード部には、前記情報カード部を前記筒体から切り離す時に使用される摘み部が、前記スリット又は切り込み線によって設けられ、前記摘み部の基端部に沿って折り筋が設けられている請求項３記載の情報カード付き包装箱。
【考案の詳細な説明】
【技術分野】
【０００１】
本考案は、収容物に関する情報が印刷されている部分を切り離して情報カードとして使用できる情報カード付き包装箱に関する。
【背景技術】
【０００２】
商品の陳列や保管に使用される包装箱の表面には、通常、収容物に関する情報（例えば、文字、絵柄、バーコード）が表示されており、従来から、情報が表示されている箱体の特定部分を切り離すことによって情報カードとして利用できる包装箱が提案されている。
【０００３】
例えば、特許文献１に開示されている包装容器は、複数の面から成り、そのうちの少なくとも一面が開封部を有する開封面で、開封面と異なる面の少なくとも一面が外側片及び内側片からなる二重構造になっている。外側片には内容物情報が印刷され、外側片の一部または全部が切除されるように、内容物情報の周囲に切除部が設けられている。実施例として、外側片及び内側片からなる二重構造とするために、箱体を形成する４つの側面（内側片を含む）と、糊付をするための折返片と、情報カードが設けられた外側片とを設けた構成が記載されている。
【０００４】
また、特許文献２に開示されている情報カード付き包装箱は、互いに平行に連接されて筒体に組み立てられる複数の側面板と、複数の側面板のうちの片端に位置する第一の側面板に連接された補助板とを備えている。補助板には、第一の側面板と反対側の端に位置する第二の側面板の裏面に重ねて糊付けされる第一補助部と、第一補助部から切離可能に第一破断線で区切られた第二補助部とが設けられている。第二の側面板には、第一補助部に糊付されて筒体の一部となる本体部と、本体部から切離可能に第二破断線で区切られた部分であって、第二補助部を覆う大きさを有し、表面に内容物に関する情報が印刷され、裏面に第二補助部が糊付けされる情報カード部とが設けられている。
【先行技術文献】
【特許文献】
【０００５】
【特許文献１】実用新案登録第３１７２０９９号公報
【特許文献２】実用新案登録第３１９７９６９号公報
【考案の概要】
【考案が解決しようとする課題】
【０００６】
特許文献１の包装容器は、厚紙等の塑性変形しやすい基材が使用されるので、情報カードを箱体から切り離す時、情報カードが湾曲してシワが発生したり折れ曲りの跡が残ったりしやすいので、情報表示の見栄えが悪くなるという問題があった。特に、情報カードにバーコードが印刷されている場合、情報カードが変形することによって、バーコードリーダで読み取れなくなる可能性がある。
【０００７】
特許文献２の情報カード付き包装箱は、情報カード部と第二補助部とが重なって情報カードが形成されるので、情報カードを箱体から切り離す時に、情報カードが変形しにくいという利点がある。しかし、情報カードを箱体から切り離すと箱体の側面が開口してしまうので、その後、収容物を保管するのに使用しにくいという問題があった。
【０００８】
本考案は、上記背景技術の問題点に鑑みて成されたものであり、情報カードを箱体から切り離しても情報表示を綺麗に保つことができ、しかも箱体の側面が開口しない情報カード付き包装箱を提供することを目的とする。
【課題を解決するための手段】
【０００９】
本考案は、一枚の箱体形成片から成り、前記箱体形成片には、互いに平行に連接されて筒体に組み立てられる複数の側面板と、前記複数の側面板のうちの片端に位置する第一の側面板の端部に連接された糊付け板と、前記複数の側面板のうちの、前記第一の側面板と反対側の端に位置する第二の側面板の端部に補助折罫線を介して連接された補助板とが設けられ、前記第二の側面板には、本体部と、前記第二の側面板から切離可能に主破断線で区切られた部分であって、表面に内容物に関する情報が印刷された情報カード部とが設けられ、前記補助板には、第一の補助部と、前記補助板から切離可能に補助破断線で区切られた第二の補助部とが設けられ、
組み立て状態で、前記第一の補助部は、前記本体部に重なり、裏面が前記本体部の裏面に糊付けされて前記筒体の一部となり、前記第二の補助部は、前記情報カード部の内側に重なり、裏面が前記情報カード部の裏面に糊付けされて前記情報カード部を補強し、前記糊付け片は、前記第二の側面板の内側に対向し、表面が前記第一の補助部の表面に糊付けされて前記筒体の一部となり、前記情報カード部は、前記糊付け板の内側に重なるように前記糊付け板に対向し、
前記主破断線及び補助破断線を破断させることによって、前記情報カード部と前記第二の補助部とで成る情報カードが前記筒体から切り離される情報カード付き包装箱である。
【００１０】
さらに、前記第二の補助部の表面に、内容物に関する情報が印刷されていてもよい。また、前記補助折罫線と重なる位置にスリット又は切り込み線が設けられ、前記情報カード部は、前記スリット又は切り込み線で前記補助板と区切られている構成にしてもよい。この場合、前記情報カード部には、前記情報カード部を前記筒体から切り離す時に使用される摘み部が、前記スリット又は切り込み線によって設けられ、前記摘み部の基端部に沿って折り筋が設けられている構成にすることが好ましい。
【考案の効果】
【００１１】
本考案の情報カード付き包装箱は、情報カード部に第二の補助部が糊付されて情報カードが形成されるので、情報カードを箱体から切り離す操作を行う時に情報カード部が変形しにくく、情報カードの情報表示を綺麗に保つことができる。また、情報カードが切り離された部分は糊付け板によって塞がれるため、箱体の側面が開口することはない。したがって、情報カードを切り離した後でも、収容物を保管するのに問題なく使用することができる。
【図面の簡単な説明】
【００１２】
【図１】本考案の情報カード付き包装箱の一実施形態の組み立て状態を示す図であって、情報カード部の側から見た斜視図（ａ）、反対側から見た斜視図（ｂ）である。
【図２】この実施形態の情報カード付き包装箱を構成する箱体形成片を裏面側から見た展開図である。
【図３】図２の箱体形成片の組み立て工程を順に示す図（ａ）、（ｂ）である。
【図４】図２の箱体形成片の組み立て工程を示す図（ａ）、この状態における糊付け板と第二の側面板との重なり具合を示す図（ｂ）である。
【図５】この実施形態の情報カード付き包装箱の開封状態を示す図であって、情報カード部の側から見た斜視図（ａ）、反対側から見た斜視図（ｂ）である。
【図６】この実施形態の情報カード付き包装箱の筒体から情報カードを切り離す操作を順に示す斜視図（ａ）、（ｂ）である。
【考案を実施するための形態】
【００１３】
以下、本考案の情報カード付き包装箱の一実施形態について、図面に基づいて説明する。この実施形態の情報カード付き包装箱１０は、図１に示すように、略直方体の箱体であり、厚紙等で成る一枚の箱体形成片１２を組み立てることによって形成される。
【００１４】
図２は、箱体形成片１２を裏面側から見た展開図であり、箱体形成片１２は、互いに平行に連接された４つの側面板１４，１６，１８，２０を有し、各々折罫線２２，２４，２６で区切られている。４つの側面板１４，１６，１８，２０は、連接方向と直交する幅方向の長さが同じで、連接方向の長さは、側面板１４，１８が長くて互いにほぼ等しく、側面板１６，２０が短くて互いにほぼ等しい。以下、連接方向の片端に位置する側面板１４を第一の側面板１４、第一の側面板１４と反対側の端に位置する側面板２０を第二の側面板２０と称する。
【００１５】
第一の側面板１４の連接方向の端部には、略矩形の糊付け板２８が延設され、折罫線３０で第一の側面板１４と区切られている。糊付け板２８の大きさは、第二の側面板２０とほぼ同じか、又は僅かに小さい。
【００１６】
第一の側面板１４の、連接方向に対して直角方向の一端部には、略矩形の内蓋片３２が延設され、折罫線３４で第一の側面板１４と区切られている。内蓋片３２の延出長さは、第二の側面板２０の連接方向長さとほぼ同じである。さらに、内蓋片３２の先端部には、再封用の差し込み片３６が延設され、折罫線３８で内蓋片３４と区切られている。第一の側面板１４の反対側の端部には、内蓋片３２とほぼ同じ形状の外底片４０が延設され、折罫線４２で第一の側面板１４と区切られている。
【００１７】
側面板１６の、内蓋片３２側の端部には、台形状のサイドフラップ４４が延設され、折罫線４６で側面板１６と区切られている。側面板１６の反対側の端部には、台形状のサイドフラップ４８が延設され、折罫線５０で側面板１６と区切られている。
【００１８】
側面板１８の、サイドフラップ４４側の端部には、略矩形の外蓋片５２が延設され、折罫線５４で側面板１８と区切られている。外蓋片５２の延出長さは、第二の側面板２０の連接方向長さとほぼ同じである。側面板１８の反対側の端部には、略矩形の内底片５６が延設され、折罫線５８で側面板１８と区切られている。内底片５６の延出長さは、第二の側面板２０の連接方向長さより少し短い。
【００１９】
また、折罫線５４の両端から内向きに各々所定長さに亘って開封用破断線６０が一対設けられ、側面板１８に、各開封用破断線６０の内側先端部を起点とするＵ字状の開封用破断線６２が設けられ、折罫線５４の中央部分と開封用破断線６２とで囲まれた部分が押圧部６４になっている。押圧部６４は、親指を当てて押し込むことができる程度の大きさである。
【００２０】
第二の側面板２０の、外蓋片２０側の端部には、サイドフラップ４４とほぼ同じ形状のサイドフラップ６６が延設され、折罫線６８で第二の側面板２０と区切られている。第二の側面板２０の反対側の端部には、サイドフラップ４８とほぼ同じ形状のサイドフラップ７０が延設され、折罫線７２で第二の側面板２０と区切られている。
【００２１】
第二の側面板２０の、側面板１８と反対側の端部には、略矩形の補助板７４が延設され、補助折罫線７６で第二の側面板２０と区切られている。補助板７４の延出長さは、第二の側面板２０の連接方向長さより少し短い。また、補助折罫線７６と重なる位置に、長穴状のスリット７８が設けられている。
【００２２】
第二の側面板２０は、本体部２０ａと、表面側に収容物に関する情報（文字、絵柄、バーコード等）が印刷された情報カード部２０ｂとで構成されている。情報カード部２０ｂは、スリット７８側の端部に設けられた略長方形の領域であり、コの字状の主破断線８０によって本体部２０ａと区切られ、スリット７８によって補助板７４と区切られ、主破断線８０を破断させると、第二の側面板２０から切り離される。また、情報カード２０ｂには、スリット７８側の端部に摘み部８２が設けられている。摘み部８２は、スリット７８の内側に突出している台形状の部分であり、その基端部に沿って折り筋８２ａが設けられている。
【００２３】
補助板７４は、第一の補助部７４ａと、表面側に収容物に関する情報（文字、絵柄、バーコード等）が印刷された第二の補助部７４ｂとで構成されている。第二の補助部７４ｂは、スリット７８と、スリット７８の両端から情報カード部２６ｂと反対方向に延びる一対の補助破断線８４とで囲まれた略長方形の領域であり、補助破断線８４を破断させると、補助板７４から切り離される。第一の補助部７４ａは、第二の側面板２０の本体部２０ａに重なって糊付けされ、第二の補助部７４ｂは、第二の側面板２０の情報カード部２０ｂの内側に重なって糊付けされる。
【００２４】
次に、情報カード付き包装箱１０の組立方法の一例を説明する。図２は、箱体形成片１２を裏面側から見た図であり、以下、箱体形成片１２の表面が凸になる折り方を正折り、そして裏面が凸になる折り方を逆折りと称する。
【００２５】
まず、図３（ａ）に示すように、第一の補助部７４ａの裏面の２箇所に糊８６を塗布し、第二の補助部７４ｂの裏面に糊８８を塗布し、補助折罫線７６を正折りする。これで、第一の補助部７４ａの裏面が第二の側面板２０の本体部２０ａの裏面に重なって糊付けされ、第二の補助部７４ｂの裏面が情報カード部２０ｂの裏面の内側に重なって糊付けされる。さらに、折罫線２２を正折りして第一の側面板１４及び糊付け板２８を側面板１６，１８の裏面に重ねる。そして、図３（ｂ）に示すように、第一の補助部７４ａの表面の２箇所に糊９０を塗布する。
【００２６】
その後、図４（ａ）に示すように、折罫線２６を正折りして補助板７４を糊付け板２８に重ね、第一の補助部７４ａの表面を糊付け板２８の表面に糊付けする。すると、図４（ｂ）に示すように、情報カード部２０ｂが糊付け板２８の内側に重なるように糊付け板２８に対向する。箱体形成片１２は、この折り畳み状態で、包装箱１０の製造工場から出荷される。
【００２７】
次に、収容物を包装する工場等において、折罫線２２，２４，２６，３０を各々９０度に正折りし、４つの側面板１４，１６，１８，２０、糊付け板２８及び補助板７４で筒体を形成する。そして、筒体の一端部を塞ぐ底部を設けるため、折罫線５０，７２でサイドフラップ４８，７０を各々９０度に正折りし、折罫線５８で内底片５６を９０度に正折りする。その後、内底片５６の表面に糊を塗布し、折罫線４２で外底片４０を９０度に正折りし、外底片４０の裏面を内底片５６に糊付する。これで、筒体の一端部を閉鎖する底部ができたので、開放している他端部から収容物を入れる。
【００２８】
収容物を入れると、筒体の他端部を閉鎖する蓋部を設けるため、折罫線４６，６８でサイドフラップ４４，６６を各々９０度に正折りする。そして、折罫線３８を正折りして差し込み片３６を９０度に正折りし、折罫線３４で内蓋片３２を９０度に正折りし、差し込み片３６を側面板１８とサイドフラップ４４，６６との隙間に差し込んで係止させる。
【００２９】
その後、内蓋片３２の表面に糊を塗布し、折罫線５４で外蓋片５２を９０度に正折りし、外蓋片５２の裏面を内蓋片３２に糊付する。これで、蓋部が形成され、図１に示す組み立て状態になり、収容物は、この組み立て状態で出荷されて市場に流通する。
【００３０】
情報カード付き包装箱１０の蓋部を開封する時は、側面板１８の押圧部６４を指で押し込んでＵ字状の開封用破断線６２を破断させ、さらに外蓋片５２と内蓋片３２を摘んで引き上げるようにして開封用破断線６０を破断させる。これで図５（ａ）、（ｂ）に示す状態になり、さらにサイドフラップ４４，６６を引き上げると筒体の蓋部が開放し、中の収容物を取り出すことができる。
【００３１】
また、図６（ａ）、（ｂ）に順に示すように、情報カード部２０ｂの摘み部８２を摘んで糊付け板２８から引き離し、主破断線８０をすべて破断させると、情報カード部２０ｂを第二の側面板２０から分離させることができる。このとき、補助板７４の第二の補助部７４ｂが情報カード部２０ｂに糊付けされているため、補助破断線８４もほぼ同時に破断し、第二の補助部７４ｂが補助板７４から分離する。この操作により、情報カード部２０ｂと第二の補助部７４ｂとが一体になった情報カード９２が形成される。
【００３２】
情報カード９２は、情報カード部２０ｂと第二の補助部７４ｂとが重なって補強されているので、摘み部５６ａを摘んで引き上げる操作を行う時、情報カード９２が湾曲してシワが発生したり折れ曲りの跡が残ったりしにくい。しかも、摘み部８２に設けられた折り筋８２ａが、情報カード９２を撓ませる力を吸収する働きをする。したがって、情報カード９２の両面に設けられた表示（情報カード部２０ｂ及び第二の補助部７４ｂの表示）が綺麗に保持され、例えば、複雑又は精密なバーコードが表示されている場合でも、バーコードが不鮮明にならず、バーコードリーダで問題なく読み取ることができる。
【００３３】
情報カード付き包装箱１０の情報カード９２が切り離された部分は、内側の糊付け板２８によって塞がれるため、箱体の側面が開口することはない。
【００３４】
情報カード付き包装箱１０の中に収容物を戻した後、蓋部を再封する時は、引き上げたサイドフラップ４４，６６を倒して元に戻し、引き上げた外蓋片５２及び内蓋片３２を倒して元に戻し、差し込み片３６を側面板１８とサイドフラップ４４，６６との隙間に差し込んで係止させる。これで再封状態になる。
【００３５】
以上説明したように、情報カード付き包装箱１０は、情報カード部２０ｂに第二の補助部７４ｂが糊付されて情報カード９２が形成されるので、情報カード９２を切り離す操作を行う時に情報カード９２が変形しにくく、情報カード９２の情報表示を綺麗に保つことができる。また、情報カード９２が切り離された部分は糊付け板２８によって塞がれるため、箱体の側面が開口することはない。したがって、情報カード９２を切り離した後でも、収容物を保管するのに問題なく使用することができる。
【００３６】
なお、本考案の情報カード付き包装箱は、上記実施形態に限定されるものではない。例えば、第二の補助部は、少なくとも情報カード部の情報が表示されている部分を補強できる形状及び大きさであればよく、長方形、楕円形、楕円形等、自由に変更することができる。第二の補助部の情報表示は、必要なければ省略してもよい。また、上記のスリット７８は、切り込み線に置き換えてもよいし、スリット７８の位置も破断線とし、コの字状の補助破断線８４で第二の補助部７４ｂを囲む構成にしてもよい。
【００３７】
情報カード部の位置は、第二の側面板の端部に限定されず、第二の側面板の他の位置に設けてもよい。また、情報カード部の形状についても自由に変更することができる。情報カード部の位置や形状を変更する場合は、これに合わせて第二の補助部及び糊付け板の位置や形状も変更し、組み立て状態で、第二の補助部が情報カード部の内側に重なって糊付けされ、情報カード部が糊付け板の内側に配置されて対向するようにする。情報カード部の摘み部は、必要に応じて省略してもよい。
【００３８】
その他、複数の側面板、蓋片、底片、サイドフラップの大きさや形状は、用途に合わせて自由に変更することができ、開封及び再封するための構造も自由に変更することができる。
【符号の説明】
【００３９】
１０  表示カード付き包装箱
１２  箱体形成片
１４  第一の側面板
１６，１８  側面板
２０  第二の側面板
２０ａ  本体部
２０ｂ  情報カード部（情報カード）
２８  糊付け板
７４  補助板
７４ａ  第一の補助部
７４ｂ  第二の補助部（情報カード）
７６  補助折罫線
７８  スリット
８０  主破断線
８２  摘み部
８２ａ  折り筋
８４  補助破断線
８６，８８，９０  糊
９２  情報カード
【図１】
0003217754.tif 000003
【図２】
0003217754.tif 000004
【図３】
0003217754.tif 000005
【図４】
0003217754.tif 000006
【図５】
0003217754.tif 000007
【図６】
0003217754.tif 000008